(57)【要約】【課題】入力された同期信号が正規の時は高精細な映像表示を、規格外の時には安定した映像の表示を可能とする。【解決手段】アナログＲＧＢ信号出力機器１から入力されるＲＧＢ信号を同時に入力される同期信号に同期して画像処理部４にて画像処理して表示デバイス６に表示するＲＧＢ信号表示装置において、前記アナログＲＧＢ信号出力機器と前記画像処理部との間に、同アナログＲＧＢ信号出力機器から出力される正規の同期信号をその立ち上がりをより急峻にして出力する入力バッファ（高速）２−１と正規でない同期信号を安定した信号として出力する入力バッファ（シュミットトリガ）２−２とでなる複数の入力バッファと、前記複数の入力バッファからの出力を選択して同画像処理部に入力する高速アナログＳＷ３と、前記高速アナログＳＷを手動または自動的に切換える手段（３、７、８）とを備えてなる表示装置。【選択図】図１
2006227449.tif 000002
【特許請求の範囲】
【請求項１】
入力される同期信号がセパレートタイプの映像信号で、前記同期信号に同期して画像処理部にて画像処理して表示デバイスに表示する表示装置において、
入力される正規の同期信号をその立ち上がりをより急峻にして出力する第１の入力バッファと正規でない同期信号を安定した信号として出力する第２の入力バッファと、前記第１の入力バッファと第２の入力バッファからの出力を選択して同画像処理部に入力する切換え手段とを備えてなることを特徴とする表示装置。
【請求項２】
前記第２の入力バッファが、ヒステリシス特性をもつことを特徴とする請求項１記載の表示装置。
【請求項３】
前記切換え手段は、同切換え手段を介して入力される同期信号の周波数をカウントする同期カウンターと、正規の同期周波数のデータを予め記憶するメモリと、同メモリに記憶されるデータと前記同期カウンターのカウントした同期周波数とを比較して正常か否かを判断して前記切換え手段を切換える制御部とでなることを特徴とする請求項１記載の表示装置。
【発明の詳細な説明】
【技術分野】
【０００１】
本発明は、入力されるセパレート同期信号タイプであるアナログＲＧＢ信号を安定に表示するための表示装置に係わり、特に入力される同期信号を安定化して安定な画像処理を可能とした表示装置に関する。
【背景技術】
【０００２】
従来、入力される同期信号を安定化する装置には、一般にＡＦＣ回路が用いられる。
また、入力ソースにより変動する同期信号を安定化させる技術としては、特許文献１や特許文献２に開示されているように、垂直偏向系時定数もしくはスレシヨールドレベルを切換える技術がある。
【０００３】
また、特許文献３や特許文献４に開示されているように、垂直同期信号の周期の変動を判別し、ＡＦＣ回路の感度を切換える技術もある。
【０００４】
しかし、ＲＧＢ信号の帯域としては、ＵＸＧＡクラスで１６２ＭＨｚであり、表示性能を上げるためには、画像処理に使用する同期信号の立ち上がりを出来るだけ急峻にする必要がある。
【０００５】
そこで、従来は図３に示すように、アナログＲＧＢ信号出力機器１から出力された同期信号を高速バッファ２を介して画像処理部４’に入力することにより、画像処理に使用する同期信号の立ち上がりを急峻にして表示性能を向上させることを最優先していた。
【０００６】
しかし、アナログＲＧＢ信号出力機器の中には、信号規格から外れている同期信号を出力するものや、アナログＲＧＢ信号出力機器と表示装置を接続するケーブルの長さやインピーダンスによって波形が乱れることがある。
例えば、図４（ｂ）のように、立ち上がりが緩やかな同期信号（のこぎり波形を含む）や、レベルが低く、スレシヨルドぎりぎりの同期信号等が見受けられる。
このように、信号規格から外れている同期信号を出力する出力機器から出力された同期信号が前記高速バッファ２に入力された場合には、図４（ｃ）のように、画像処理部４’に入力される同期信号に余計なパルスが発生し、タイミングがずれてうまく処理出来ず、正常な画面表示ができないという問題がある。
【０００７】
【特許文献１】実開昭５９−１１９６７１号公報（第１頁、第１図）
【特許文献２】実開昭６２−１５２５５８号公報（第１頁、第１図）
【特許文献３】特開昭６３−４８９６８号公報（第２−４頁、第１図）
【特許文献４】特開平０４−３０７８７２号公報（第２−３頁、第１図）
【発明の開示】
【発明が解決しようとする課題】
【０００８】
本発明は、上記の問題点に鑑みて、正規の同期信号が入力された時は高精細な映像の表示を可能とすると共に、規格外の同期信号が入力された時でも安定した映像の表示を可能とすることを目的とする。
【課題を解決するための手段】
【０００９】
本発明は、入力される同期信号がセパレートタイプの映像信号で、前記同期信号に同期して画像処理部にて画像処理して表示デバイスに表示する表示装置において、
入力される正規の同期信号をその立ち上がりをより急峻にして出力する第１の入力バッファと正規でない同期信号を安定した信号として出力する第２の入力バッファと、前記第１の入力バッファと第２の入力バッファからの出力を選択して同画像処理部に入力する切換え手段とを備えてなる表示装置としている。
【００１０】
また、前記第２の入力バッファが、ヒステリシス特性をもつ表示装置としている。
【００１１】
また、前記切換え手段は、同切換え手段を介して入力される同期信号の周波数をカウントする同期カウンターと、正規の同期周波数のデータを予め記憶するメモリと、同メモリに記憶されるデータと前記同期カウンターのカウントした同期周波数とを比較して正常か否かを判断して前記切換え手段を切換える制御部とでなる表示装置としている。
【発明の効果】
【００１２】
以上説明したように、本発明によると入力される同期信号が正規の信号か、または規格外の信号かを判断し、正規同期信号の場合は高速バッファを介して画像処理部に急峻な立ち上がりの同期信号を入力し、規格外の同期信号の場合はヒステリシス特性を持たせたシュミットトリガバッファを介して画像処理部に安定な同期信号を入力するので、正規同期信号が入力された場合は高性能な映像を表示することが出来、規格外の同期信号が入力された場合でも安定した映像を表示することができる。
【発明を実施するための最良の形態】
【００１３】
以下、本発明の実施の形態を、添付図面に基づいた実施例として詳細に説明する。
【実施例１】
【００１４】
図１は本発明による表示装置の第１の実施例を示す概略ブロック図である。
【００１５】
図１において、１は同期信号とＲＧＢ信号とを出力する、ＰＣ，ＳＴＢ，ＤＶＤ等のアナログＲＧＢ信号出力機器である。
１０は前記アナログＲＧＢ信号出力機器１から入力されるＲＧＢ信号を表示するディスプレイ装置である。
前記ディスプレイ装置１０は以下のブロックで構成される。
２−１は立ち上がりの急峻な正規の信号を扱う高速バッファである。
２−２は立ち上がりと立下りの電圧にヒステリシスを設けることにより、立ち上がりが緩やかな信号（のこぎり波形を含む）や、レベルが低く、スレシヨルドぎりぎりの信号が入力されてもチャタリングのような余分なパルスを発生することのないシュミットトリガバッファである。
３は前記高速バッファ２−１からの信号とシュミットトリガバッファ２−２からの信号を切換える高速アナログＳＷである。
４は前記アナログＲＧＢ信号出力機器１から入力されるＲＧＢ信号を前記高速アナログＳＷ３を介して入力される同期信号を基にデジタル化して各種画像処理を行う画像処理部で、前記入力される同期信号をカウントして水平、垂直同期信号の周波数を計測する機能をも有している。
５は前記画像処理部４で処理した画像を表示デバイス６に対応する信号に変換して出力するＩ／Ｏである。
６は前記Ｉ／Ｏ５を介して入力される映像信号を表示するプラズマディスプレイパネルや液晶等の表示デバイスである。
７は前記画像処理部４で計測した同期周波数を予めフラッシュロム８に記憶された同期周波数のデータと比較して、正常か否かを判断して、前記高速アナログＳＷ３を切換える制御部である。
８は前記水平同期信号および垂直同期信号の各種正常周波数を予め記憶するフラッシュロムである。
【００１６】
以上の構成において、つぎに、その動作を図２の動作フローチャートを参照して説明する。
前記表示装置１０は電源ＯＮ時または入力信号切換時（ＳＴ１）は正規同期信号を入力するように、高速アナログＳＷ３は前記高速バッファ２−１から入力される同期信号を選択（ＳＴ２）して画像処理部４に入力している。
前記アナログＲＧＢ信号出力機器１から前記表示装置１０にＲＧＢ信号と同期信号が入力されると、まず、前記画像処理部４は高速アナログＳＷ３を介して入力される同期信号の水平、垂直同期信号のそれぞれの周波数（ｆｈ，ｆｖ）を計測する（ＳＴ３）。
そして、前記制御部７は前記計測された水平、垂直同期信号のそれぞれの周波数（ｆｈ，ｆｖ）と、前記フラッシュロム８に記憶されている水平、垂直同期信号のそれぞれの基準周波数（ｆｈ０，ｆｖ０）と比較する（ＳＴ４）。
ＳＴ４で、このそれぞれの周波数の比較結果（ｆｈ−ｆｈ０＝Δｆｈ，ｆｖ−ｆｖ０＝Δｆｖ）、が所定の範囲（Δｆｈ１〜Δｆｈ２，Δｆｖ１〜Δｆｖ２）内、即ち（Δｆｈ１＜Δｆｈ＜Δｆｈ２，Δｆｖ１＜Δｆｖ＜Δｆｖ２）である場合は、前記高速アナログＳＷ３の選択を現状維持の前記高速バッファ２−１側にしておく。
これにより、前記アナログＲＧＢ信号出力機器１から入力される同期信号が正規の信号の場合は、前記比較結果が所定の範囲内に収まるため、前記画像処理部４に入力される同期信号は前記高速バッファ２−１を介して立ち上がりの急峻な同期信号が入力され、所定の映像性能が確保される。
【００１７】
また、ＳＴ４で比較結果が、それぞれの周波数が所定の範囲外にある場合は、前記高速アナログＳＷ３をシュミットトリガバッファ２−２側に切換える（ＳＴ５）。
即ち、前記アナログＲＧＢ信号出力機器１から入力される同期信号が正規でない信号の場合は、前記高速アナログＳＷ３が前記シュミットトリガバッファ２−２側に切り換わり、これにより、前記画像処理部４に入力される同期信号の安定した周波数計測結果が得られ安定した映像の表示を可能とする。
【００１８】
なお、上記説明においては、シュミットトリガバッファを１つとしているが、ヒステリシス特性等を複数設けることで、より多く正規でない信号に対応できる。
【００１９】
以上説明したように、入力される同期信号が正規の信号か、または正規でない信号かを判断し、正規同期信号の場合は高速バッファを介して画像処理部に急峻な立ち上がりの同期信号を入力し、正規でない同期信号の場合はシュミットトリガバッファを介して画像処理部に安定な同期信号を入力するので、正規同期信号が入力された場合は高性能な映像を表示することが出来、正規でない同期信号が入力された場合でも安定した映像を表示することができる。
【図面の簡単な説明】
【００２０】
【図１】本発明による表示装置の一実施例を示すブロック図である。
【図２】本発明による表示装置の一実施例の動作を説明するためのフローチャート図である。
【図３】従来の表示装置を示すブロック図である。
【図４】従来の表示装置における高速バッファの出力波形図である。
【符号の説明】
【００２１】
１  アナログＲＧＢ信号出力機器
２−１  高速バッファ
２−２  シュミットトリガバッファ
３  高速アナログＳＷ
４  画像処理部
５  Ｉ／Ｏ
６  表示デバイス
７  制御部
８  フラッシュロム
１０  表示装置
【図１】
2006227449.tif 000003
【図２】
2006227449.tif 000004
【図３】
2006227449.tif 000005
【図４】
2006227449.tif 000006